(57)【要約】【課題】ディジタル記録および再生において、上乗せされるコストの上昇を最少にするために、ＭＰＥＧ形復号化機能および符号化機能を記録装置に含ませないようにする。【解決手段】消費者用のディジタル記録装置／再生措置におけるＭＰＥＧ形処理の不存在は記録装置の状態のオンスクリーン・メッセージ表示を不可能にすることがある。記録装置／再生装置の状態メッセージのオンスクリーン表示を容易に行なうことができる各種の方法が開示されている。第１の実施例では、再生された復号アナログビデオ信号（１０２）をディジタル記録装置／再生装置（２００）に戻して状態メッセージを挿入する。別の実施例の記録装置では、メッセージデータ（２７１）はディジタル信号復号器（１００）に結合されて、復号されたアナログビデオ信号（１０２）に付加される。【選択図】      図２
2008022576.tif 000002
【特許請求の範囲】
【請求項１】
圧縮されたディジタルビデオ信号を受信して復号する受信装置であって、
ネットワーク信号源から供給される第１の圧縮されたディジタルビデオ信号と、ディジタル再生装置からの第２の圧縮されたディジタルビデオ信号および前記ディジタル再生装置の動作モードを表す表示メッセージデータ信号とを受信し、またこれらの信号間で選択を行う受信手段と、
前記受信手段に結合されていて、前記第１と第２の圧縮されたディジタルビデオ信号のうちの選択された１つを復号してビデオ信号を生成する復号化手段と、
前記受信手段に結合されていて、前記第１の圧縮されたディジタルビデオ信号と第２の圧縮されたディジタルビデオ信号との間の選択を制御し、また前記第２の圧縮されたディジタルビデオ信号の選択に応答して前記第２の圧縮されたディジタルビデオ信号と一緒に伝送された前記表示メッセージデータ信号を受信する制御手段と、
前記表示メッセージデータ信号を表わす記憶された状態メッセージ信号と前記第２の圧縮されたディジタルビデオ信号から復号されて生成された前記ビデオ信号を合成して合成ビデオ信号を発生し、該合成ビデオ信号をフォーマット化する表示メッセージ合成手段と、
からなる受信装置。
【請求項２】
前記ディジタル再生装置がディジタル記録装置である、請求項１記載の受信装置。
【請求項３】
前記表示メッセージデータ信号が、記録装置の状態メッセージである、請求項２記載の受信装置。
【請求項４】
前記制御手段に接続される遅延手段であって前記記憶された状態メッセージ信号が前記表示メッセージ合成手段に伝送されるのを遅延させる遅延手段を更に含む、請求項１に記載の受信装置。
【請求項５】
前記遅延手段は、少なくとも前記生成されたディジタルビデオ信号の準備ができるまでの遅延を与え、以て前記記憶された状態メッセージ信号と前記第２の圧縮されたディジタルビデオ信号から復号されて生成された前記ビデオ信号との同期をとる、請求項４記載の受信装置。
【請求項６】
前記受信手段は、ユーザにより発生される命令信号の受信に応答して、前記第１の圧縮されたディジタルビデオ信号と前記第２の圧縮されたディジタルビデオ信号との間の選択を行う、請求項１記載の受信装置。
【請求項７】
前記制御手段に接続されるＩＲ受信機であって、前記第１の圧縮されたディジタルビデオ信号と前記第２の圧縮されたディジタルビデオ信号との間の選択を制御する前記ＩＲ信号をリモート制御ユニットから受信するＩＲ受信機を更に含む、請求項６記載の受信装置。
【請求項８】
前記記憶された状態メッセージ信号は、前記第２の圧縮されたディジタルビデオ信号から復号化されて生成された前記ビデオ信号と表示のために同期される、請求項７記載の受信装置。
【発明の詳細な説明】
【技術分野】
【０００１】
この発明は、ディジタルビデオ記録装置の分野に関し、特に、種々の装置コンポーネント（構成成分）相互間の結合手段に関する。
【背景技術】
【０００２】
ディジタルビデオ信号は、低減されたビットレート（ビット伝送速度）を有するビットストリームを形成するように処理される。このようなビットレートの低減を行なうための処理はＭＰＥＧ形圧縮法に従って実行され、例えばＤＳＳ（トレードマーク、商標）等のディジタル衛星システムにおいて使用され、または提案されたグランド・アライアンス(Grand Alliance)すなわちＧＡ地上波システムにおいて使用されているような、例えばＭＰＥＧ形コンパチブル（compatible：両立性を有する）構成を持った形の信号にフォーマット化することができる。
【０００３】
消費者向けビデオ記録装置は、アナログ信号と、例えばＭＰＥＧ形標準方式とのコンパチビリティ（両立性、適合性）が得られるように処理され、且つＧＡまたはＤＳＳ（商標）信号フォーマットを有するディジタル符号化信号の双方に対する記録適応性を与えるように適合化されている。適合化された消費者向けビデオ記録装置は、１つの筐体内に収納された２つの電子システムとして考えることができ、各電子システムは記録機構と、サーボおよび制御の各システムを共有している。アナログ輝度（ルミナンス）信号成分でＲＦ搬送波を周波数変調し、アナログ色（クロミナンス）信号成分で別のＲＦ搬送波を振幅変調する場合は、通常のアナログ記録法を使用することができる。再生時にはその２つの変調済み信号は復調され、合成され（組合わされ）、出力されてビデオ表示装置に供給される。
【０００４】
記録と再生の両動作モードの期間中、ビデオ記録装置の動作状態、警告状態、テープ持続時間、記録時間、時間コード（符号）等のオンスクリーン表示メッセージが表示される。これらのオンスクリーン表示メッセージすなわちＯＳＤ（on-screen display) がアナログビデオ出力信号に付加されて、ユーザに記録装置の状態を表わす情報が提供される。
【０００５】
ディジタル記録は、消費者向けビデオ記録装置をディジタル・ビットストリーム記録装置／再生装置として使用することによって行なわれる。例えばトランスポート・パケットのようなＭＰＥＧ形コンパチブル・ビットストリームは、記録および再生を容易に行なうために、トランスポート・パケットを再フォーマット化することによって記録される。例えば、トランスポート・パケットは、バッファ処理（緩衝記憶）され、誤り（エラー）検出および訂正データワードを計算して付加する。誤り訂正データワードが付加されたビットストリームは、各記録トラックに適応する所定数のバイトを含む記録用データブロックまたは同期ブロックの形にフォーマット化される。同期ブロック信号は符号化されて、ディジタル記録するのにより適した信号、例えば、直流成分が除去され、または記録された信号のスペクトル成形が行なわれる信号が形成される。このような変調は、“コードブック（code book）”タイプの符号化法によって行なわれる。再生モードでは、実効的に記録プロセスとは逆のプロセスが行なわれ、例えば、“コードブック”タイプの符号が復号（デコード）され、誤りが検出されて訂正され、その同期ブロックフォーマットが削除されて、ビットストリームが元のＭＰＥＧ形のフォーマットに復元される。
【特許文献１】特開平６−３１９１１０号公報
【発明の開示】
【発明が解決しようとする課題】
【０００６】
ディジタル記録および再生において、上乗せされるコストの上昇を最少にするために、ＭＰＥＧ形復号化（デコーディング）機能および符号化（エンコーディング）機能を記録装置に含ませないようにする。すなわち、記録装置は、変更または付加することなくＭＰＥＧ形パケットストリームを処理しなければならない。従って、記録装置は、番組（プログラム）遅延機能または時間シフト（移動）機能を具えていなければならない。しかし、アナログ動作中にアナログ出力信号に加えられる記録装置の状態および警告、およびテープの時間の各表示は、ディジタル動作モード期間中は存在しない。従って、記録装置の状態等は、記録装置の制御パネルを見ることによってしか確認できなくなる。
【０００７】
ディジタル信号の信号源（ソース）、記録装置およびモニタ表示装置相互間のシステムの相互接続および制御は、双方向データバスを使用することにより簡易化することができる。しかし、アナログシステムの相互接続に付加されるいかなる相互接続も、ユーザにとって理解できない装置の複雑さと混乱を生じさせる。よって、記録装置の動作状態には関係なく、ディジタル信号源と表示装置との間の結合を行なう簡易な相互接続法が必要である。簡易な相互接続法は、同じ相互接続システムを用いて、アナログおよびディジタルの双方の記録装置の動作を容易にするものでなければならない。さらに、記録装置の状態および警告の各メッセージは、アナログおよびディジタルの双方の記録装置の動作モード期間中、ユーザに対して表示を行なうのに必要である。
【課題を解決するための手段】
【０００８】
上に述べた理由により、ディジタル動作モード期間中は存在しない記録装置の状態、警告およびテープのタイマは、次に説明する本発明の構成によって有効に実現できる。ディジタルテレビジョン受像機は、ネットワーク信号源から供給される第１の圧縮されたディジタルテレビジョン信号と、局部信号源から供給される第２の圧縮されたディジタルテレビジョン信号および表示メッセージデータ信号とを受信し、またこれらの信号間で選択する受信手段を具えている。この受信手段には復号化（デコーディング）手段が結合されており、上記圧縮されたディジタルテレビジョン信号のうちの何れか１つを復号してビデオ信号を生成する。フォーマット化手段がビデオ信号表示メッセージをフォーマット化して、これをビデオ信号と合成する。また上記受信手段には制御手段が結合されていて、上記第１の圧縮されたディジタルテレビジョン信号と第２の圧縮されたディジタルテレビジョン信号との間の選択を制御し、また上記第２の圧縮されたディジタルテレビジョン信号に応答して表示メッセージデータ信号を上記フォーマット化手段に供給して、ビデオ表示メッセージをフォーマット化する。
【０００９】
ディジタルビデオを表わす信号を再生するためのディジタル装置は、ディジタル的に圧縮されたビデオ信号の復号器および表示メッセージの合成器と共に使用するように適合化されている。再生装置は、記録された媒体からディジタルビデオを表わす信号を再生するための変換器（トランスデューサ）を具えている。再生用電子装置が上記変換器に結合されており、ディジタルビデオを表わす信号を処理して復号用の出力信号ビットストリームを生成する。状態メッセージ発生器が装置の動作モードに応答してメッセージデータ信号を発生する。メッセージデータ信号はフォーマット化のために供給され、また表示メッセージ合成器によって出力信号ビットストリームから復号されたビデオ信号と合成される。
請求の範囲と実施例との対応関係を図面で使われている参照符号で示すと次の通りである。
１．圧縮されたディジタルビデオ信号を受信して復号する受信装置であって、
ネットワーク信号源から供給される第１の圧縮されたディジタルビデオ信号（ＮＥＴ）と、ディジタル再生装置からの第２の圧縮されたディジタルビデオ信号（ＬＯＣＡＬ）および前記ディジタル再生装置の動作モードを表わす表示メッセージデータ信号（２７１）とを受信し、またこれらの信号間で選択を行う受信手段（１１０）と、
前記受信手段（１１０）に結合されていて、前記第１と第２の圧縮されたディジタルビデオ信号のうちの選択された１つを復号してビデオ信号（１０２）を生成する復号化手段（１１７）と、
前記受信手段（１１０）に結合されていて、前記第１の圧縮されたディジタルビデオ信号と第２の圧縮されたディジタルビデオ信号との間の選択を制御し、また前記第２の圧縮されたディジタルビデオ信号の選択に応答して前記第２の圧縮されたディジタルビデオ信号と一緒に伝送された前記表示メッセージデータ信号を受信する制御手段（１１５）と、
前記表示メッセージデータ信号を表わす記憶された状態メッセージ信号と前記第２の圧縮されたディジタルビデオ信号から復号されて生成された前記ビデオ信号を合成して合成ビデオ信号を発生し、該合成ビデオ信号をフォーマット化する表示メッセージ合成手段（５２０）と、
からなる受信装置（１００）。
２．前記ディジタル再生装置がディジタル記録装置（２００）である、請求項１記載の受信装置（１００）。
３．前記表示メッセージデータ信号（２７１）が、記録装置の状態メッセージである、請求項２記載の受信装置（１００）。
４．前記制御手段（１１５）に接続される遅延手段（１１６）であって前記記憶された状態メッセージ信号が前記表示メッセージ合成手段に伝送されるのを遅延させる遅延手段を更に含む、請求項１記載の受信装置（１００）。
５．前記遅延手段（１１６）は、少なくとも前記生成されたディジタルビデオ信号の準備ができるまでの遅延を与え、以て前記記憶された状態メッセージ信号と前記第２の圧縮されたディジタルビデオ信号から復号されて生成された前記ビデオ信号との同期をとる、請求項１０記載の受信装置（１００）。
６．前記受信手段は、ユーザにより発生される命令信号の受信に応答して、前記第１の圧縮されたディジタルビデオ信号と前記第２の圧縮されたディジタルビデオ信号との間の選択を行う、請求項１記載の受信装置（１００）。
７．前記制御手段に接続されるＩＲ受信機であって、前記第１の圧縮されたディジタルビデオ信号と前記第２の圧縮されたディジタルビデオ信号との間の選択を制御する前記ＩＲ信号をリモート制御ユニットから受信するＩＲ受信機を更に含む、請求項６記載の受信装置（１００）。
８．前記記憶された状態メッセージ信号は、前記第２の圧縮されたディジタルビデオ信号から復号化されて生成された前記ビデオ信号と表示のために同期される、請求項７記載の受信装置（１００）。
【発明を実施するための最良の形態】
【００１０】
図１には、簡易化された消費者向けディジタル・オーディオ／ビデオシステムが例示されている。この図には、パケット化され且つ圧縮されたオーディオ／ビデオおよび制御データの信号源が、復号および表示を行なうために結合される態様が示されている。受信機ＩＲＤ１００は受信アンテナ５０に結合されるように示されているが、変調された信号がケーブル分配回路網（図示せず）から供給されてもよい。変調されたパケット化信号は、同調され、復調されて、ユーザが決定した番組（プログラム）がパケット源１０９として示されたブロック内で分離される。パケット源１０９の出力は、オーディオ／ビデオおよび制御データからなるトランスポート・パケットストリームからなり、このパケットストリームは復号器（デコーダ）１１７によってＭＰＥＧ形復号されて、オーディオおよびビデオ信号が生成される。復号器１１７からの出力は表示装置３００によってモニタするためにこれに供給される。パケット化された信号の他の信号源は、復号器１１７によってＭＰＥＧ形復号を行なうために、別のデータストリームとして点線で結合されるものとして示されている。このように、復号器１１７は、外部パケット源から供給されるトランスポート・ストリームを復号するために使用され、このことによってこれら他の信号源のコストを低減することができる。例えば、パケット源７５は、パケット化された出力信号を生成するコンピュータを表わすものであってもよい。このような信号は、コンピュータのメモリから取出され、またはコンピュータのネットワークのような外部信号源から供給されるものでもよい。このようなコンピュータ信号源は、ディスクメモリから圧縮されたオーディオ／ビデオおよび制御データを再生することができる。さらに、パケット源７５は、例えばＤＶＤフォーマット装置のようなディジタル・ビデオディスク再生装置を表わすものであってもよい。別のトランスポート・パケットの信号源は、磁気テープ再生装置／記録装置であるパケット源２００によって与えられるものでもよく、このパケット源２００は、例えばＤ−ＶＨＳまたはＤＶＣ方式（規格）に従うフォーマットを有していてもよい。
【００１１】
図２には、簡易化された消費者向けディジタルビデオ受信機、記録および表示装置システムが、ブロック図の形で例示されている。このシステムには、例えば統合形（統合された）受信機／復号器すなわちＩＲＤ１００（Integrated Receiver Decoder）のようなディジタルビデオ信号源、オーディオ／ビデオ（Ａ／Ｖ）モニタ表示装置３００、および例えばＤ−ＶＨＳまたはＤＶＣのフォーマットを採用したディジタル・ビデオカセット記録装置（ＶＣＲ）２００が設けられている。この例示されたシステムにおいては、ディジタルビデオを表わす信号が、ＲＦ搬送波上に変調されており、アンテナ５０で受信される。アンテナ５０は、統合形受信機／復号器ＩＲＤ１００に結合されている。しかし、変調された搬送波は、ケーブル分配システム（図示せず）によって受信機１００に導かれていてもよい。統合形受信機／復号器１００は、ＲＦ搬送波周波数に同調されており、その搬送波周波数からＭＰＥＧ形コンパチブル・トランスポート・データストリームの変調信号を復調する。
【００１２】
トランスポート・データストリームは復号（デコード）されてアナログのオーディオおよびビデオ信号が生成され、オーディオ／ビデオ表示装置３００によって直ちにモニタされる。復号された出力信号は、信号１０１および１０４によって表わされ、これらの信号は受信機ＩＲＤ１００から表示装置３００に供給される。コストを考慮すると、ディジタル記録装置２００にＭＰＥＧ形符号化機能および復号化機能を含ませることができない。従って、ディジタル記録装置２００は、ビットストリーム記録装置／再生装置として機能して、時間シフトまたは番組（プログラム）遅延機能を与える。非標準的速度での再生機能を容易に行なうのに必要なＭＰＥＧ形処理を省略すると共に複雑さの度合いを低減すると、シャトル（SHUTTLE：往復）再生、スローモーション再生またはトリック再生の各モードで画像を再生することができなくなる。従って、要するに、受信機１００は、記録装置２００で記録するために、ＭＰＥＧ形コンパチブル・パケットストリームをディジタルＡ／Ｖ（Audio/ Video）バス１１２に供給する。同様に、記録装置２００からの再生されたパケットストリームは、ＭＰＥＧ形復号およびオーディオ／ビデオ生成を行なうために受信機に戻すように供給される。記録装置からＭＰＥＧ形処理機能を省略したことによる別の結果として、オンスクリーン表示メッセージすなわちＯＳＤの形式の状態メッセージは、再生パケット化されたビットストリームと合成したり、これに付加することができなくなる。従って、ユーザは記録装置の動作状態を明確に知ることができない。
【００１３】
さらに、記録装置の画像データは記録(RECORD)、再生(PLAY)および停止(STOP)の各モードの期間中においてのみ利用可能であるので、ユーザは制御命令（コマンド）に従う記録装置の応答性について明確に知ることができない。例えば、再生から巻き戻し(REWIND)への動作状態の変化が生じると、再生画像の例えば入力ビットストリームへの切換えが生じ、電子機器から電子機器（エレクトロニクス−エレクトロニクス）への切換え、すなわちＥ−Ｅ間切換えとして知られている状態が生じ、または例えば再生画像が消えて、ＩＲＤ１００によって取出された静止（凍結）フレームに置換され、またはたぶん動画像がカラーフィールド（着色画面）によって置換されることがある。従って、ユーザはこれらの視覚的表示効果を記録装置のモードの応答性の指標(indicia)として各モードと関連付けることができないことがある。
【００１４】
図２に例示されているシステムは第１の発明の相互接続構成を示しており、この構成では復調されたトランスポート・ビットストリームは受信機ＩＲＤ１００から双方向データバス１１２を介して記録装置２００に供給される。トランスポート・パケットストリームは、インタフェースポート（ＩＦ）１１０を介してデータバスに供給され、インタフェースポート（ＩＦ）２１０によって記録装置２００において受信される。上記インタフェースポートは、共にデータバス１１２に含まれている別の導線で搬送される制御データストリームによって制御される。制御信号は、制御スイッチ（図示せず）の付勢によって、またはユーザが発生させたＩＲ遠隔制御命令によるユーザの入力から引出される。例えば、ユーザはディッシュアンテナ（dish antenna）５０によって受信されたディジタル・オーディオ／ビデオ信号をモニタするために選択することができる。受信機は、タッチ操作または接触操作(touch)によって、または例えばＩＲのような遠隔制御によって選択することができる。受信機の選択によって、表示選択の内容が自動的にモニタされ、すなわち、表示が自動的に切り換えられて、ＭＰＥＧ形復号されたオーディオ／ビデオ出力がモニタされる。ユーザがディジタル記録モードを選択すると、受信トランスポート・ストリームがＩＲＤ１００からバス１１２を介して記録装置に供給され、記録が開始される。同様に、ディジタル記録装置の再生モードが選択されると、再生されたデータストリームはバス１１２を介して受信機１００の復号器１１７によって復号化されるように供給される。
【００１５】
ＭＰＥＧ形コンパチブル・パケット化信号は記録装置２００に供給され、処理されて、ブロックＤ．ＲＥＣ（ディジタル記録）２１５によって記録される。バッファメモリはブロックＤ．ＲＥＣ２１５に含まれており、データストリームをバッファして、持続時間の変動する間隙を有するデータのバーストからなるパケット化された信号よりもさらに記録するのに適した信号が生成される。バッファされたデータストリームは、バッファから読出されて誤り（エラー）検出／訂正データワードと共に符号化される記録フォーマットの同期ブロックが生成される。同期ブロックを用いてフォーマット化されたデータストリームは、上述のように記録するために変調され、記録ブロックＤ．ＲＥＣ２１５から選択器のスイッチＡ４に供給される。選択器のスイッチＡ４およびＡ５は、選択されたＤ−ＶＣＲ動作モードに応じて制御される。例えば、図２では、スイッチＡ４およびＡ５は、ディジタル記録および再生を行なうように示されており、ディジタル記録用のスイッチの接続部ＤＲおよびディジタル再生用スイッチの接続部ＤＰはデータストリームを回転ヘッド構体２５０に供給し、また回転ヘッド構体２５０からデータストリームを引出すことができる。アナログ動作に対しては、スイッチＡ４およびＡ５は、アナログ記録ＡＲおよびアナログ再生ＡＰとして示された別の位置に切換えられる。記録ブロックＤ．ＲＥＣ２１５からの同期ブロック・フォーマット化されたデータストリームは、磁気テープ上に記録を行なうために回転ヘッド構体２５０に供給される。
【００１６】
再生モードでは、記録されていた同期ブロック・フォーマット化されたデータストリームが、構体２５０上に配置された変換（トランスデュース）ヘッド２５１によって磁気テープから再生される。回復された信号は、ディジタル再生ブロックＤ．ＲＥＰ２２０によって復調され、記録チャンネルの変調状態がすべて除去される。次いで、その再生信号は、記録前に挿入されたデータワードによって誤り検出ならびに訂正処理を受ける。誤り訂正の後、同期ブロック・フォーマット化が取り除かれて、そのビットストリームは、記録のために記録装置に供給されたパケットフォーマットと実質的に同じパケットフォーマットをもつように回復される。ブロックＤ．ＲＥＰ２２０からのパケットストリームはインタフェースポート２１０に供給され、該インタフェースポート２１０は記録装置の再生モードに応答して、そのパケットストリームを、復号器１１７によってＭＰＥＧ形復号を行なうために双方向データバス１１２に供給する。
【００１７】
統合形受信機／復号器１００は、ＭＰＥＧ形コンパチブル・パケットストリームを復号して、ビデオとオーディオの双方の出力信号を生成する。例えば、図２は、ビデオおよびオーディオ（Ａ／Ｖ：Audio/ Video）の出力信号１０１、１０２、および例えばＳ−ビデオ（Ｓ−Video ）等のコンポーネント（成分）ビデオ信号１０４を示している。しかしながら、これらのディジタル的に再生されたビデオ信号には、オンスクリーン表示すなわちＯＳＤによって通常与えられる記録装置の状態情報は含まれていない。
【００１８】
図２に簡略化された形で示されている受信機ＩＲＤ１００は制御装置（ＣＴＲＬ）１１５を有し、該制御装置（ＣＴＲＬ）１１５は、受信機全体の制御、例えば、同調、パケットヘッダ制御デマルチプレクス、バスインタフェース制御、およびＭＰＥＧ形復号器１１７に結合されるパケット源の選択の各制御を行なう。さらに、受信機の状態または動作モードが、復号ビデオ信号に付加されるオンスリーン表示メッセージによって表示される。制御装置１１５は、オンスクリーン表示メッセージを構成するか、あるいはメモリブロック（ＭＥＭ．）５１０から予め定められた記憶メッセージを読出す。オンスクリーン表示メッセージすなわちＯＳＤは、ＯＳＤ挿入器またはＯＳＤ付加器であるブロック５２０に供給され、該ブロック５２０においてメッセージがアナログビデオ表示用にフォーマット化され、ＭＰＥＧ形復号されたビデオ信号に付加またはこれと合成される。ＯＳＤを有するビデオ信号は、出力増幅器（Ｏ／Ｐ）１１８を介して、モニタ表示装置３００によって表示されるようにこれに供給される。
【００１９】
図２において、記録装置／再生装置２００は、制御システム（ＣＴＲＬ）２０５に結合されたオンスクリーン表示発生器（ＯＳＤ．ＧＥＮ）２７０を含んでいる。ＯＳＤ発生器２７０は、記録装置の制御システム２０５からの信号に応答して、動作状態に適した状態メッセージまたは警告メッセージを発生する。これらのメッセージは、オンスクリーン表示付加器（ブロックＯＳＤ．ＡＤＤ）２７５においてアナログビデオ信号に挿入または付加されるビデオ信号としてフォーマット化される。アナログビデオ信号は、ビデオ選択器ブロックＳＥＬ２８０からオンスクリーン表示付加器２７５に供給される。
【００２０】
選択器２８０は、制御システム２０５によって制御されて、種々のアナログ信号源相互間の選択機能を与える。例えば、スイッチＡ１は、チューナ（同調器）から取出された信号と、ベースバンドアナログ信号入力と、ＭＰＥＧ形復号されたオーディオ／ビデオ出力信号１０２との間のアナログ入力信号の選択を行なう。スイッチＡ１からの出力は、アナログ記録用ブロックＡ．ＲＥＣによってアナログ記録するためにこれに供給される。
【００２１】
選択器ＳＥＬ２８０の選択スイッチＡ３は、オンスクリーン表示付加器２７５に供給する信号を有効に選択する。図２では、スイッチＡ３が出力信号１０２のビデオ成分をオンスクリーン表示付加器２７５の入力に供給する本発明の構成が示されている。従って、例えば再生期間中に発生した記録装置／再生装置２００の状態メッセージは、出力トランスポート・パケットストリームから復号されたビデオ信号成分１０２に付加される。これによって、オンスクリーン・メッセージが付加されディジタル的に取出されるＭＰＥＧ形復号された再生信号である信号１０３は、表示装置３００によって観察される。
【００２２】
記録装置／再生装置２００のアナログ動作期間に、スイッチＡ３は、信号ＶＨＳとして示されているアナログ再生信号をオンスクリーン表示付加器２７５に供給する。従って、アナログ動作期間に、ＯＳＤメッセージはアナログ再生ビデオ信号に付加される。一方、ディジタル記録が選択されたときには、ＯＳＤメッセージは、再生されたビットストリームから復号されたアナログビデオ信号１０２に有効に付加される。従って、このような有利な帰還接続によって記録装置の状態メッセージがビデオ成分と合成されて、アナログ信号１０３として出力される。
【００２３】
選択器２８０のスイッチＡ２によって、オンスクリーン表示付加器２７５をバイパスして出力信号１０２をモニタ表示装置３００に直接供給する接続路が形成される。従って、スイッチＡ２のバイパス動作によって、復号された出力信号を観察することができ、また付加器２７５による信号劣化の可能性をなくすことができる。バイパス路Ａ２は、スタンバイモード（待機モード）において記録装置がオフ状態であるとき、または復号され、非記録（記録されていない）の“生（live）”のビットストリームを観察するときに、自動的に選択される。アナログ記録の期間中に、復号された非記録信号を観察できるようにするために、バイパススイッチを手動で付勢することもできる。この有効なバイパス接続によって、アナログ記録装置の不要な信号処理、例えばディジタル的に導き出された信号１０２の品質を低下させる特性を内在するＥ／Ｅ記録装置の経路を介する処理を省くことができる。さらに、この有効なバイパス機能により、例えば機械的接触によって、記録装置２００の動作状態に関係なく受信機ＩＲＤ１００をスイッチＡ２によってモニタ表示装置３００に容易に接続することができる。
【００２４】
オンスクリーン表示発生器２７０は、ビデオ信号に挿入されたときにメッセージが表示スクリーン上の所定の位置に表示されるように、特定の水平および垂直同期タイミングでフォーマット化されたメッセージを発生する。しかし、ディジタル再生モードで動作し、且つ上述の有利な帰還接続を用いると、ＯＳＤメッセージは、アナログ記録装置の動作期間中に使用された水平および垂直同期タイミングとは異なる水平および垂直同期タイミングを用いて生成される点で好都合である。この異なる水平および垂直同期タイミングは、例えば受信機１００において受ける再生信号の伝播およびＭＰＥＧ形復号の遅延を有効に補償することができる。従って、異なるＯＳＤ同期タイミングを用いることによって、アナログまたはディジタルのいずれの記録装置の動作においても実質的に同じ所定のメッセージ位置を確保することができるという効果が得られる。
【００２５】
処理およびＭＰＥＧ形復号による時間遅延は多数のフレーム期間に及ぶことがある。多数フレーム遅延または時間的オフセット（offset: ずれ）が生じると、実際に再生された視覚的イベント（番組内容）に先行してＯＳＤメッセージが生じることになる。記録装置のＯＳＤメッセージが再生イベントに先行して生じる場合は、その時間的オフセットは、ユーザ制御命令の結果として、また、対応する再生された画像が遅延して現れる効果として顕在化する。時間的オフセットは、記録された時間コード（time code）信号または記録装置のテープタイマを表示するときに、さらに重大な問題を生じさせる。例えば、テープ再生期間中に、ある特定のイベントが、記録装置のテープタイマのオンスクリーン表示により、あるいは記録された時間コード信号のＯＳＤにより表示（note）されることがある。この表示（note）された各時間によって、選択された各イベントの後続する位置を予測することができる。しかし、表示された時間が、記録装置相互間で実行される電子的編集（エディット）用の編集点として用いられると、その結果、編集された場面（シーン）は予め観察している（プレビュー）間に選択された場面に対して時間的に先行する。メッセージと再生画像との間の時間的オフセットの影響は、メッセージの発生、メッセージの伝達、ＯＳＤ表示を遅延させることによって、またはテープタイマ／時間コード番号またはカウント（計数値）を訂正することによって効果的に除去することができる。記録装置２００において、遅延（ＤＬＹ）２０７として示されている遅延は、スイッチＡ７またはＡ８によって選択される。例えば、復号されたビデオ信号１０２がＯＳＤ付加器２７５において記録装置のＯＳＤメッセージを挿入するために帰還されると、制御装置２０５に応答してＯＳＤメッセージ命令が発生される。メッセージ命令信号ＣＭＤが制御装置２０５からスイッチＡ７および遅延２０７に供給されるように示されている。スイッチＡ７は、記録装置２００用に選択された記録モードに応じて、すなわちアナログであるかまたはディジタルであるかに応じて制御される。スイッチＡ７は、ディジタルモードで示されており、遅延２０７から供給される信号ＣＭＤの遅延されたものを選択する。この遅延された命令信号によって、復号されたビデオ信号と実質的に時間が一致するＯＳＤメッセージが発生され、挿入される。別の構成ではスイッチＡ８が使用されて、このスイッチＡ８はＯＳＤ発生器２７０からの出力に遅延２０７を挿入する。この構成では、スイッチＡ７は制御装置２０５の出力に接続されている。また、スイッチＡ８を用いて、信号ＣＭＤをバス１１２およびＩＲＤ１００に供給するのを遅延させることができる。さらに、ＯＳＤメッセージと復号された再生画像との間の時間的オフセットは、メモリアクセス信号またはメモリ出力信号のいずれかに、例えば遅延（ＤＬＹ）１１６として示されている遅延を導入することによって訂正することができる。再生画像とＯＳＤとの同期化は、種々の方法、例えばクロックされたデータラッチ、シフトレジスタ、単安定マルチバイブレータ等を用いた遅延によって実現することができる。テープタイマまたは時間コードＯＳＤは、例えば編集モードのプレビ��ー期間中に表示数字の算術演算操作によって復号された画像に同期させることができる。従って、選択された画像およびそれに関連する表示数字は入力されて、電子的編集が可能になる。記録装置２００のアナログ動作期間中は、制御装置２０５からの命令信号ＣＭＤは遅延されずにスイッチＡ７により発生器２７０に直接供給される。
【００２６】
別の発明の実施形態では、記録装置２００によって供給されたオンスクリーン表示メッセージは、受信機１００のオンスクリーン表示機能を有効に利用している。記録装置２００から取出されたメッセージはデータバス１１２の制御用導線を介して受信機１００に供給され、図２のブロックＯＳＤ５２０においてオンスクリーン表示のための挿入が行なわれる。記録装置のメッセージデータは発生器２７０によってテキストメッセージとしてフォーマット化され、このメッセージにタグまたはラベルが付加される。タグが付加されたテキストメッセージは信号２７１として示されており、この信号２７１はＩＲＤ１００の制御装置１１５に供給されて、他の制御バスデータから分離される。この分離に続いて、そのテキストメッセージは、ＯＳＤ５２０によって表示フォーマット化およびビデオ挿入を行なうために結合される。このテキストメッセージは、制御装置２０５からのＯＳＤ命令信号ＣＭＤに応答して発生される。先に説明したように、信号ＣＭＤは、遅延ブロック２０７において遅延を受ける。しかし、遅延ブロック２０７からのテキストメッセージは、スイッチＡ７による遅延２０７の挿入によって別の点で遅延されてもよい。
【００２７】
さらに別の発明の実施形態では、受信機１００にメモリ５１０が設けられており、該メモリ５１０は記録装置２００に固有の受信機のオンスクリーン表示メッセージすなわちＯＳＤメッセージを含んでいる。記録装置２００に固有のメッセージは、制御バスを介して制御装置１１５に供給された記録装置２００のオンスクリーン表示命令信号ＣＭＤに応答してアクセスされる。記録装置２００において、オンスクリーン表示命令信号ＣＭＤは、さらに発生しようとするメッセージを決定する制御装置２０５によって生成される。従って、命令信号ＣＭＤは有効に受信機１００に供給されて、メモリ５１０に記憶されている記録装置に固有のグラフィックメッセージのアクセスおよび表示フォーマット化が可能になる。
【００２８】
さらに別の本発明の実施形態では、受信機１００は、記録装置２００の命令に応答して記録装置２００のテキストメッセージと受信機１００のグラフィックメッセージとの間の適応的選択を行なう。記録装置２００のテキストメッセージの表示とＩＲＤ１００のグラフィックメッセージの表示との間の選択を行なうことによって、製造年が異なることにより機能および装備の点で異なる記録装置と受信機との相互接続が可能になる。例えば、より古い型の受信機を最近製造された記録装置に接続することができるが、その場合、受信機のメモリには記録装置のオンスクリーン・メッセージ表示を支援するための予めプログラムされたグラフィックメッセージは含まれていない。従って、受信機は、記録装置によって生成される単純なテキストメッセージは表示することができる。反対に、より新しい受信機は、異なる製造年の種々の製品に対するグラフィックメッセージの選択肢を用いて予めプログラムされており、これらの種々のグラフィックメッセージを、記録装置のテキストメッセージに代えて表示することができる。単純なテキストメッセージとグラフィックメッセージとの間の選択は、テキストメッセージに付加されたタグまたはラベルによって容易に行なわれる。例えば、タグまたはラベルは、要求された記録装置の特定のメッセージを選択してイネーブルする命令信号ＣＭＤを含むことができる。さらに、そのラベルは、例えば記録装置の製造日、型式、変更または訂正のレベル、および製造番号等に関する記録装置のプロフィール情報を伝達するのに充分なデータ容量を有する。タグおよびラベルが付加されたテキストメッセージが制御装置１１５によって受信されると、そのタグまたはラベルは解釈（翻訳）され、その結果、ＩＲＤ１００のメモリ５１０の中から記録装置に固有のグラフィックメッセージが選択される。しかし、受信機のメモリが特定の記録装置のメッセージにより、あるいは記録装置のプロフィールに固有のメッセージにより予めプログラムされていない場合は、タグは付加された単純なテキストメッセージのフォーマット化および表示を可能にする。先に説明したように、ＯＳＤメッセージ、テキストまたはグラフィックメッセージと、再生された復号画像との間の時間的および空間的な偏位（displacement）を補償するために、遅延素子を挿入することができる。
【００２９】
図２には、３つのアナログ信号入力、すなわちオーディオ／ビデオ（Ａ／Ｖ）信号１０１および１０３と、例えばＳ−ビデオまたは輝度およびカラー成分Ｙ、Ｐｒ、Ｐｂ等のオーディオおよびコンポーネント・ビデオ信号１０４とを有するモニタ表示装置が例示されている。さらに、表示装置３００は、ＲＦ入力（ＲＦ  ＩＮ）として示された無線周波数（ＲＦ）信号を介してオーディオ信号およびビデオ信号を受信する。信号選択器３１０は既知の態様でビデオおよび同期処理回路（図示せず）に結合されており、これらは共同して画像表示信号を生成する。信号選択器３１０は、表示装置３００に配置されたユーザ付勢スイッチによって制御されるか、または変調されたＩＲ制御ストリームを介して送信されたユーザ起動の遠隔制御命令によって制御される。これらの例示された３つのベースバンド入力信号は、選択器スイッチ３１０の自動制御によって有効に選択される。例えば、ディジタル記録モードまたはディジタル再生モードを選択すると、記録装置のＯＳＤ状態表示情報を含む入力信号が自動的に選択される。その記録装置の状態ＯＳＤは、前述のようにして生成されて発生する。さらに、多数のベースバンド信号入力を設けることにより、機能により指定される装置相互間の接続が可能になる。例えば、ＩＲＤ１００からの復号された非記録信号は、例えば、出力信号１０１を用いて、または記録装置のＯＳＤを挿入してＡ／Ｖ信号１０３を形成するようにＩＲＤ１００の出力信号１０２を経路指定して得られたコンポーネント・ビデオ信号１０３を用いて容易に直接観察することができる。
【００３０】
図３は、表示装置３０１として例示された低コストの表示装置を用いた場合を示している。表示装置のコストを低減するためには、信号入力の数を、例えばＲＦ入力、コンポーネント・ビデオ信号またはＳ−ビデオ入力、および１個のオーディオ／ビデオ信号入力に限定すればよい。入力選択器３１１は信号処理手段３１４に結合されており、該信号処理手段は周知のように必要とするビデオ信号および同期信号を導き出して容易にビデオを表示することができる。図２の選択器２８０における選択およびバイパス機能によって、単一のＡ／Ｖ入力を介して記録された素材(material)および記録されていない素材を表示装置３０１によって有効にモニタすることができる。しかし、表示装置は、コンポーネント・ビデオ信号の接続を有効に利用することにより、信号の供給に加えて表示入力選択を決定し、制御することができる。例えば、コンポーネント・ビデオ信号またはＳ−ビデオ（Ｓ−ＶＩＤＥＯ）信号は、ＮＴＳＣ符号化信号から得られる表示画像の品質より優れた品質が得られると想定されているので、コンポーネント信号入力に供給されるこのようなコンポーネント信号が存在すると、自動的にコンポーネント信号源が選択される。従って、コンポーネント信号とコンポジット信号が共に表示装置３０１の入力１と２にそれぞれ供給されていると、入力制御装置は、好ましい入力としてコンポーネント信号を選択するように予め決定された論理を有している。しかし、このような自動化された入力選択を実行すると、図２の記録装置２００から供給される記録装置に固有のオンスクリーン表示情報を含む信号のモニタを阻害することになる。しかし、自動化された優先入力選択を有効に利用することによって、例えば入力２における信号１０３のようなオーディオ／ビデオ信号を遠隔制御によって選択することができる。記録装置２００を介して供給されるオンスクリーン表示情報を含む信号は、本発明のコンポーネント信号（component signal）１０４の制御によってＩＲＤ１００からの上記コンポーネント信号１０４を出力に供給させるかあるいは出力への供給を終了させることにより、表示装置３０１上で観察することができる。例えば、ユーザが非記録ビットストリーム、すなわち受信信号を選択すると、受信機１００の制御装置１１５は、例えばＳ−ビデオフォーマットを有するコンポーネント信号１０４の発生または出力を可能にする。表示用の記録された画像信号を選択すると、制御装置１１５はコンポーネント信号１０４の発生または出力を終了させる。従って、モニタ３０１の制御装置３１２は、コンポーネント信号入力端子に結合され、信号３０９を介して信号１０４の不存在を検知して、入力選択器３１１に、入力１のコンポーネント信号１０４から、例えば図２における記録装置２００の選択器２８０を介して結合された入力２のオーディオ／ビデオ信号１０３に切換えさせる。
【図面の簡単な説明】
【００３１】
【図１】図１は、復号化して表示するために結合されるパケット化された信号源をブロック図の形で示している。
【図２】図２は、この発明の種々の実施形態を含むブロック図を例示している。
【図３】図３は、この発明の種々の実施形態を含む、簡易化されたスイッチを示すブロック図を例示している。
【符号の説明】
【００３２】
５０   受信アンテナ
７５   パケット源
１００ 受信機・ＩＲＤ
１０９ パケット源
１１０ インタフェースポート
１１２ データバス
１１７ デコーダ
２００ ディジタル記録装置
２１０ インタフェースポート
２５０ 回転ヘッド構体
２８０ 選択器
３００ 表示装置
３０１ 表示装置
３１１ 選択器
【図１】
2008022576.tif 000003
【図２】
2008022576.tif 000004
【図３】
2008022576.tif 000005